(57)【要約】【課題】クロック信号から輻射されるクロック妨害の抑制をすること。【解決手段】水平同期信号から生成した矩形波クロック信号が入力され、前記矩形波クロック信号高周波成分を除去し、正弦波クロック信号として出力するＬＰＦと、表示する映像の変化の有無を判定し、判定結果を映像状態信号として出力する判定回路と、矩形波クロック信号及び正弦波クロック信号が入力され、映像状態信号が映像の変化が有ることを示す場合は、矩形波クロック信号を選択し、映像状態信号が映像の変化が無いことを示す場合は、矩形波クロック信号を選択し、合成クロック信号として出力するセレクタ回路と、映像信号と合成クロック信号に基づき映像を表示する表示パネルと、を備える。【選択図】図１
2008310205.tif 000002
【特許請求の範囲】
【請求項１】
映像信号が入力され、所定の処理をして表示映像信号を出力するとともに、
水平同期信号を取り出し、矩形波クロック信号を生成し出力する映像信号処理回路と、
前記矩形波クロック信号が入力され、前記矩形波クロック信号高周波成分を除去し、正弦波クロック信号として出力するＬＰＦと、
前記表示映像信号に基づき、
表示する映像の変化の有無を判定し、判定結果を映像状態信号として出力する判定回路と、
前記矩形波クロック信号及び前記正弦波クロック信号が入力され、前記映像状態信号が映像の変化が有ることを示す場合は、前記矩形波クロック信号を選択し、前記映像状態信号が映像の変化が無いことを示す場合は、前記正弦波クロック信号を選択し、合成クロック信号として出力するセレクタ回路と、
前記表示映像信号と前記合成クロック信号に基づき映像を表示する表示パネルと、
を備えた表示装置。
【発明の詳細な説明】
【技術分野】
【０００１】
本発明は、クロック信号を有する信号処理装置において、クロック信号パターンより輻射されるクロック妨害の低減する表示装置に関するものである。
【背景技術】
【０００２】
近年、液晶テレビ及びディスプレイ等の電気機器においてデジタル化が進み、デジタル信号処理回路等で使用するクロック信号はより高速化が求められている。このため、クロック信号の基本周波数はますます高くなり、その立ち上がり及び立ち下がりはより急峻となり、クロック信号から輻射されるクロック妨害は著しく増大している。このようなクロック妨害を抑制する為の１例として、基板配線のクロック信号パターンと隣接して位相を反転させたクロックパターンを配線することでクロックの立ち上がり及び立ち下がりの高調波成分を打ち消しあい、輻射を低減させる方法などがある。
【特許文献１】特開平８−１８１６６９号公報
【発明の開示】
【発明が解決しようとする課題】
【０００３】
しかし、従来のクロック妨害の抑制方法では、正相、逆相それぞれのクロック信号のタイミングが完全に一致しないと高調波成分は打ち消しあうことはなく、逆に輻射が増加する可能性がある。また、パネルへ送信する映像信号データに変化がなくクロック信号の急峻な立ち上がり及び立ち下がりを必要としない場合においても、クロック信号としては矩形波を出力するため常にクロック妨害が発生し続けるという課題があった。
【０００４】
上述の課題を解決するために本発明は、パネルへ送信する映像信号データの変化の有無を検知し、変化の有無によってクロック波形を矩形波／正弦波と切り替えることでクロック妨害を低減する表示装置を提供することを目的とする。
【課題を解決するための手段】
【０００５】
本発明の表示装置は、映像信号が入力され、所定の処理をして表示映像信号を出力するとともに、水平同期信号を取り出し、矩形波クロック信号を生成し出力する映像信号処理回路と、前記矩形波クロック信号が入力され、前記矩形波クロック信号高周波成分を除去し、正弦波クロック信号として出力するＬＰＦと、前記表示映像信号に基づき、表示する映像の変化の有無を判定し、判定結果を映像状態信号として出力する判定回路と、前記矩形波クロック信号及び前記正弦波クロック信号が入力され、前記映像状態信号が映像の変化が有ることを示す場合は、前記矩形波クロック信号を選択し、前記映像状態信号が映像の変化が無いことを示す場合は、前記矩形波クロック信号を選択し、合成クロック信号として出力するセレクタ回路と、前記表示映像信号と前記合成クロック信号に基づき映像を表示する表示パネルとを備える。
【発明の効果】
【０００６】
以上のように本発明によれば、クロックパターンから輻射するクロック妨害の抑制手段において、パネルへ送信する映像信号データの変化を検知し、変化の有無によりクロック波形を矩形波／正弦波と切り替えることで、クロック妨害を低減することが可能となる。
【発明を実施するための最良の形態】
【０００７】
（実施の形態１）
図１は本発明の表示装置における構成図の一例であり、図２は判定回路の一例を示した図である。図３は図２における判定回路の各信号の発生のタイミングを示すタイミング図であり、図４は映像信号のデータ変化の有無を検出し、セレクタ回路によりクロック波形を切り替えるフローチャートである。
【０００８】
図１において、表示装置は、映像信号処理回路１、ＬＰＦ（ローパスフィルタ）２、判定回路３、セレクタ回路４及び表示パネル５からなる。
【０００９】
以下に具体的な動作を説明する。入力映像信号は映像信号処理回路１によってガンマ補正など、所定の信号処理がされ、表示映像信号として表示パネル５に供給される。また映像信号処理回路１は入力映像信号を映像信号処理回路１にある同期分離回路に通し、水平同期信号を取り出し、矩形波クロック信号を生成し出力する。
【００１０】
ＬＰＦ２は矩形波クロック信号の高周波成分を除去し、矩形波クロック信号から高周波成分場除去された信号である正弦波クロック信号に変換し出力する。なお、正弦波クロック信号は、矩形波クロック信号から高周波成分場除去された信号であれば、波形が完全な正弦波でなくてもよい。
【００１１】
判定回路３には、映像信号処理回路１から出力された表示映像信号が入力される。そして、入力された表示映像信号を基に、表示パネル５に表示する映像に変化があるか、変化がないかを判定する。表示パネル５に表示する映像に変化があるとは、例えば、動画が表示される場合であり、表示パネル５に表示する映像に変化がないとは、例えば、静止画が表示される場合である。判定した結果を元に、映像に変化があったか映像に変化がなかったかを示す信号である映像状態信号を出力する。映像状態信号は例えば、映像に変化があった場合はＨｉｇｈとなり、映像に変化がなかった場合はＬｏｗとなるパルス信号であってよい。判定回路３の詳細な構成については後述する。
【００１２】
セレクタ回路４には、映像信号処理回路１の出力である矩形波クロック信号とＬＰＦ２の出力である正弦波クロック信号が入力される。また、セレクタ回路４には判定回路３の出力である映像状態信号が入力される。セレクタ回路４は、映像状態信号が映像に変化があったこと示す場合は、矩形波クロック信号を選択し出力する。一方、映像状態信号が映像に変化がなかったこと示す場合は、正弦波クロック信号を選択し出力する。
【００１３】
表示パネル５は、映像信号処理回路１の出力である表示映像信号とセレクタ回路４の出力信号に基づき、映像を表示する。
【００１４】
次に図２、図３を用いて、判定回路３の一例を示す。図２は、判定回路３の構成を示すブロック図であり、図３は図２における各信号の状態及びタイミングを示す図である。
【００１５】
判定回路３は複数のＤフリップフロップ、複数のＥＸ−ＮＯＲ回路及びＡＮＤ回路で構成される。
【００１６】
Ｄフリップフロップ２１にはそれぞれ映像信号を構成するビットのうち、所定のビットのデータ（ｂ）が入力される。また、クロック信号（ａ）が入力される。入力された所定のビットのデータ（ｂ）を１水平期間分遅延して、遅延されたビットデータ（ｃ）がＥＸ−ＮＯＲ回路３１に入力される。また、ＥＸ−ＮＯＲ回路３１には所定のビットのデータ（ｂ）が直接入力される。
【００１７】
ＥＸ−ＮＯＲ回路３１は、Ｄフリップフロップ２１か出力される遅延されたビットデータ（ｃ）と、所定のビットのデータ（ｂ）とが入力され、データが同一なら“Ｈ”、異なっていれば“Ｌ”が出力される。これにより、１ビットのデータにおけるデータの変化を検出することが出来る。
【００１８】
また、Ｄフリップフロップ２２〜２ｎ及びＥＸ−ＮＯＲ回路３２〜３ｎについても同様に動作させることにより、Ｎビット全てのデータについて変化の有無を検出する。そして、ＥＸ−ＮＯＲ回路３１〜３ｎの出力をＡＮＤ回路４１に通すことで、図３のＡＮＤ回路４１（ｇ）に示すように、全ビットに変化が無い場合は“Ｈ”が、１つでも変化があった場合は“Ｌ”が出力され、映像信号の変化の有無を検出することが出来る。
【００１９】
上記の動作をする判定回路３の出力に応じて、セレクタ回路４は矩形波及び正弦波の切り替えを行い、合成クロック信号を出力する。判定回路３によるセレクタ回路４の制御について、具体的に図４のフローチャートにて説明する。
【００２０】
図４は判定回路３の出力である映像状態信号によってセレクタ回路４を制御する動作のフローチャートである。
【００２１】
セレクタ回路４は映像状態信号が、映像に変化がある状態を示しているか、もしくは映像に変化がない状態を示しているかを判定する（Ｓ１）。そして、映像に変化がある場合には、映像信号処理回路１の出力である矩形波クロック信号を選択し、表示パネル５に出力する（Ｓ２）。一方、映像に変化がある場合には、ＬＰＦ２の出力である正弦波クロック信号を選択し、表示パネル５に出力する（Ｓ３）。
【００２２】
かかる構成によると、動画など、映像が変化する場合は矩形波のクロック信号を用いる一方、静止画など映像が変化しない場合にはクロック信号を正弦波とする。これにより、表示パネルに矩形波のクロック信号が必要な場合にのみ、矩形波のクロック信号を入力し、表示パネルに矩形波のクロック信号が不必要な場合には、正弦波のクロック信号を入力する。以上から、表示パネルに矩形波のクロック信号が不必要な場合に、表示パネルに矩形波のクロック信号入力されるのを防止することができるため、クロック信号パターンから輻射されるクロック妨害を低減することが出来る。
【産業上の利用可能性】
【００２３】
本発明にかかる表示装置は、クロック波形を矩形波／正弦波と切り替えることで、クロック妨害を低減するものであり、クロック信号を有する信号処理装置等において有用である。
【図面の簡単な説明】
【００２４】
【図１】本発明の実施の形態１における表示装置の構成を示すブロック図
【図２】図１に示す判定回路の構成を示すブロック図
【図３】図２における判定回路の各信号の発生のタイミングを示すタイミング図
【図４】本発明の実施の形態１おける判定回路の動作を示すフローチャート
【符号の説明】
【００２５】
１    映像信号処理回路
２    ＬＰＦ
３    判定回路
４    セレクタ回路
５    表示パネル
２１〜２n    Ｄフリップフロップ（Ｄ−Ｆ．Ｆ）
３１〜３n    ＥＸ−ＮＯＲ回路
４１    ＡＮＤ回路
【図１】
2008310205.tif 000003
【図２】
2008310205.tif 000004
【図３】
2008310205.tif 000005
【図４】
2008310205.tif 000006